(57)【要約】      （修正有）【課題】稼動状態において重心を自動調整できる羽根付きナットを提供する。【解決手段】中空状の円柱体であり、前面１１０と、外周面１１１と、保持穴と、リングと、複数の工具位置決め穴１１４と、少なくとも１つのおもり穴１１５と、を備え、保持穴における前面側の内周面が円錐面を呈すると共に、保持穴における、前面と反対側の内周面にネジ山が形成され、リングが、保持穴の半円周長と一致するように、保持穴の円錐面とネジ山との間に設けられ、リングと保持穴の内周面とが偏心状態の穴を構成し、複数の工具位置決め穴がそれぞれ、間隔をおいて前面に凹設され、おもり穴が、工具位置決め穴と間隔をおいて配列するように、リングと対応する位置且つ前面に設けられる、螺合部１１と、螺合部の外周面に形成される複数の羽根部１２と、羽根部の前端の外周縁に一体に形成され、複数の流通穴１３０が形成される、フレーム１３と、を有する。【選択図】図１
0003201082.tif 000002
【実用新案登録請求の範囲】
【請求項１】
中空状の円柱体であり、前面と、外周面と、保持穴と、リングと、複数の工具位置決め穴と、少なくとも１つのおもり穴と、を備え、そのうち保持穴が、段差状を呈するように、該前面の中心に形成され、該保持穴における前面側の内周面が円錐面を呈すると共に、該保持穴における、前面と反対側の内周面にネジ山が形成され、該リングが、保持穴の半円周長と一致するように、保持穴の円錐面とネジ山との間に設けられ、該リングと保持穴の内周面とが偏心状態の穴を構成し、該複数の工具位置決め穴がそれぞれ、間隔をおいて前面に凹設され、該おもり穴が、工具位置決め穴と間隔をおいて配列するように、リングと対応する位置且つ前面に設けられる、螺合部と、
前記螺合部の外周面に形成され、螺旋状を呈すると共に、それぞれの間に気流取り入れ空間が形成される、複数の羽根部と、
円環状の枠であり、前記羽根部の前端の外周縁に一体に形成され、内壁によりそれぞれの気流取り入れ空間を囲むように複数の流通穴が形成される、フレームと、を有することを特徴とするバランス自動調整タイプの羽根付きナット。
【請求項２】
前記複数の工具位置決め穴はそれぞれ矩形を呈し、間隔をおいて環状に配列されるように、螺合部の前面と外周面との接する箇所に凹設されることを特徴とする請求項１に記載のバランス自動調整タイプの羽根付きナット。
【請求項３】
前記各羽根部の先端及びフレームの前面が、螺合部の前面と同一平面上に位置することを特徴とする請求項１に記載のバランス自動調整タイプの羽根付きナット。
【請求項４】
前記螺合部の工具位置決め穴は、湾曲状のまゆ型を呈し、それぞれ等間隔で環状に配列されることを特徴とする請求項３に記載のバランス自動調整タイプの羽根付きナット。
【請求項５】
前記各羽根部と螺合部の軸方向の軸線との間に、５０度乃至６０度の範囲内の角度を有することを特徴とする請求項１乃至４の何れか１項に記載のバランス自動調整タイプの羽根付きナット。
【請求項６】
前記各羽根部と螺合部の軸方向の軸線との間に５５度の角度を有することを特徴とする請求項５に記載のバランス自動調整タイプの羽根付きナット。
【請求項７】
前記各おもり穴の深さは、前記各工具位置決め穴の深さよりも深いことを特徴とする請求項５に記載のバランス自動調整タイプの羽根付きナット。
【請求項８】
前記各おもり穴の長さは、前記各工具位置決め穴の長さよりも長いことを特徴とする請求項５に記載のバランス自動調整タイプの羽根付きナット。
【考案の詳細な説明】
【技術分野】
【０００１】
本考案は、特に稼動状態において重心を自動的にバランスを調整することができる羽根付きナットに関するものである。
【背景技術】
【０００２】
中ぐり切削工具の領域において、既存のカッターホルダは、先端にチャックを介して刃部材を取り付けてからナットをさらにカッターホルダの先端に螺設してチャックを固定するものである。ナットを回転することにより、チャックを締付状態または緩め状態にすることができるので、刃部材を固定または交換することができる。
【考案の概要】
【考案が解決しようとする課題】
【０００３】
しかしながら、既存のナットの内周面には通常、チャックと係合するためのリングを有するが、そのリングは円環状を呈することから、チャックの着脱作業が難しく、また、既存のナットは、チャックを固定する効果のみで、他の機能は備えていない。
【課題を解決するための手段】
【０００４】
上記目的を達成するために、本考案は、
中空状の円柱体であり、前面と、外周面と、保持穴と、リングと、複数の工具位置決め穴と、少なくとも１つのおもり穴と、を備え、そのうち保持穴が、段差状を呈するように、該前面の中心に形成され、該保持穴における前面側の内周面が円錐面を呈すると共に、該保持穴における、前面と反対側の内周面にネジ山が形成され、該リングが、保持穴の半円周長と一致するように、保持穴の円錐面とネジ山との間に設けられ、該リングと保持穴の内周面とが偏心状態の穴を構成し、該複数の工具位置決め穴がそれぞれ、間隔をおいて前面に凹設され、該おもり穴が、工具位置決め穴と間隔をおいて配列するように、リングと対応する位置且つ前面に設けられる、螺合部と、
前記螺合部の外周面に形成され、螺旋状を呈すると共に、それぞれの間に気流取り入れ空間が形成される、複数の羽根部と、
円環状の枠であり、前記羽根部の前端の外周縁に一体に形成され、内壁によりそれぞれの気流取り入れ空間を囲むように複数の流通穴が形成される、フレームと、を有することを特徴とするバランス自動調整タイプの羽根付きナット、を提供する。
【０００５】
前記複数の工具位置決め穴はそれぞれ矩形を呈し、間隔をおいて環状に配列されるように、螺合部の前面と外周面との接する箇所に凹設される。
【０００６】
前記各羽根部の先端及びフレームの前面が、螺合部の前面と同一平面上に位置する。
【０００７】
前記螺合部の工具位置決め穴は、湾曲状のまゆ型を呈し、それぞれ等間隔で環状に配列される。
【０００８】
前記各羽根部と螺合部の軸方向の軸線との間に、５０度乃至６０度の範囲内の角度を有する。
【０００９】
前記各羽根部と螺合部の軸方向の軸線との間に５５度の角度を有する。
【００１０】
前記各おもり穴の深さは、前記各工具位置決め穴の深さよりも深い。
【００１１】
前記各おもり穴の長さは、前記各工具位置決め穴の長さよりも長い。
【考案の効果】
【００１２】
本考案のバランス自動調整タイプの羽根付きナットは、主に螺合部１１のリング１１３が偏心構造を有することから、羽根付きナット１０を簡単にチャックスリーブ３０の外周に環装してホルダ２０に取り付けられる。また、羽根付きナット１０がチャック３０を緊緩することによって、刃部材４０の着脱を制御できる。
【００１３】
さらに、本考案のバランス自動調整タイプの羽根付きナットは、複数の羽根部１２を有することから、羽根付きナット１０がホルダ２０と共に回転すると、羽根部１２により周囲の空気が流通穴１３０を介して気流取り入れ空間１２０に進入し、周囲の空気を回転させて気流を発生させ、切削加工により発生した屑を上方に浮かせて集めることができる。即ち、その羽根付きナット１０は、刃部材４０を固定するためだけでなく、周囲の空気を上昇させて屑を集める効果も有する。
【図面の簡単な説明】
【００１４】
【図１】本考案に係るバランス自動調整タイプの羽根付きナットの第一実施例の斜視図である。
【図２】本考案に係るバランス自動調整タイプの羽根付きナットの第一実施例の部分断面斜視図である。
【図３】本考案に係るバランス自動調整タイプの羽根付きナットの第一実施例における図４に示すＢ−Ｂ線前面断面図である。
【図４】図３に示すＡ−Ａ線側面断面図である。
【図５】本考案に係るバランス自動調整タイプの羽根付きナットの第一実施例の側面図である。
【図６】本考案に係るバランス自動調整タイプの羽根付きナットの第一実施例においての装着状態を示す部分断面図である。
【図７】本考案に係るバランス自動調整タイプの羽根付きナットの第二実施例の斜視図である。
【図８】本考案に係るバランス自動調整タイプの羽根付きナットの第二実施例の側面図である。
【図９】本考案に係るバランス自動調整タイプの羽根付きナットの第二実施例の図８に示すＣ−Ｃ線前面断面図である。
【考案を実施するための形態】
【００１５】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１６】
図１乃至図３に示すように、本考案に係るバランス自動調整タイプの羽根付きナットの第一実施例は、羽根付きナット１０を有し、該羽根付きナット１０は、螺合部１１と、複数の羽根部１２と、フレーム１３を備える。
【００１７】
その内、螺合部１１は、中空状の円柱体であり、前面１１０と、外周面１１１と、保持穴１１２と、リング１１３と、複数の工具位置決め穴１１４と、おもり穴１１５と、を備え、該保持穴１１２は、内周面が段差状を呈するように、前面１１０の中心に形成され、該保持穴１１２における前面１１０側の内周面に円錐面が形成され、その円錐面によりスリーブチャックを位置決めすることができ、該保持穴１１２における、前面１１０と反対する側の内周面にネジ山が形成され、該ネジ山により刃部材が装着される。
【００１８】
図３及び図４に示すように、前記リング１１３は、保持穴１１２の円錐面とネジ山との間において、保持穴１１２の半円周長と一致するように形成され、この構成によれば、該リング１１３と保持穴１１２の内周面とが偏心状態の穴を構成し、前記複数の工具位置決め穴１１４はそれぞれ矩形を呈し、間隔をおいて環状に配列されるように、前面１１０と外周面１１１との接する箇所に凹設され、該各工具位置決め穴１１４は、深さＨ１を有し、前記おもり穴１１５は、工具位置決め穴１１４と間隔をおいて配列されるように、リング１１３と対応する位置且つ前面１１０に設けられ、該各おもり穴１１５は、深さＨ２を有し、該おもり穴１１５の深さＨ２は、工具位置決め穴１１４の深さＨ１より深く設定されている。
【００１９】
図１及び図５に示すように、前記複数の羽根部１２はそれぞれ、螺合部１１の外周面１１１に形成され、隣り合う羽根部１２の間に気流取り入れ空間１２０が形成され、各羽根部１２は、螺旋状を呈すると共に、螺合部１１の軸方向の軸線Ｌとの間に角度Ａを有し、該角度Ａは、５０度乃至６０度の範囲内であればよく、５５度であることが好ましい。
【００２０】
図１及び図５に示すように、前記フレーム１３は、円環状の枠であり、羽根部１２の前端の外周縁に一体に形成され、内壁によりそれぞれの気流取り入れ空間１２０を囲むように複数の流通穴１３０が形成され、これにより、空気を流通させることができる。
【００２１】
図６に示すように、本考案の第一実施例において、その羽根付きナット１０は、リング１１３が偏心構造を有することから、チャックスリーブ３０の外周に環装されるように、ホルダ２０に取り付けられるので、該羽根付きナット１０によりチャックスリーブ３０を締めたり緩めたりすることによって、刃部材４０の着脱を制御することができる。
図４に示すように、前記羽根付きナット１０がホルダ２０と共に回転すると、周囲の空気が流通穴１３０を介して気流取り入れ空間１２０に進入することから、周囲の空気を回転させて気流を発生させ、切削加工により発生した屑を上方に浮かせて、収集装置（図示せず）に集めることができる。
このように、その羽根付きナット１０は、刃部材４０を固定するためのだけではなく、周囲の空気を持ち上げて屑を集める効果も有する。
【００２２】
さらに、その羽根付きナット１０の螺合部１１にはおもり穴１１５を有することから、リング１１３の重さを調整することができ、また、そのおもり穴１１５は、縦方向の深さや、横方向の広さを需要に応じて調整してもよく、リング１１３の重さを調整できるものであれば、如何なる形状や如何なる数量であってもよい。
【００２３】
図７及び図９に示すように、本考案に係る第二実施例は、殆ど第一実施例と同一であるが、以下の点において異なる。
その羽根付きナット１０Ａにおける各羽根部１２Ａの先端及びフレーム１３Ａの前面は、螺合部１１Ａの前面１１０Ａと同一平面上に位置し、その螺合部１１Ａの工具位置決め穴１１４Ａは、湾曲状のまゆ型を呈し、それぞれ等間隔をおいて環状に配列され、該各工具位置決め穴１１４Ａは、長さＬ1を有する。また、おもり穴１１５Ａは、工具位置決め穴１１４Ａの形状と相似し、湾曲状のまゆ型を呈すると共に、長さＬ２を有し、該おもり穴１１５Ａの長さＬ２は、工具位置決め穴１１４Ａの長さＬ１よりも長い設定となっている。尚、この第二実施例の操作方式及び効果は、第一実施例と同一であることから、説明は省略する。
【符号の説明】
【００２４】
１０、１０Ａ  羽根付きナット
１１、１１Ａ  螺合部
１１０ 前面
１１１ 外周面
１１２ 保持穴
１１３ リング
１１４、１１４Ａ     工具位置決め穴
１１５、１１５Ａ     おもり穴
１２、１２Ａ  羽根部
１２０ 流れ空間
１３、１３Ａ  フレーム
１３０ 流通穴
Ｈ１、Ｈ２    深さ
２０   ホルダ
３０   スリーブチャック
４０   刃部材
Ａ     角度
Ｌ     軸線
Ｌ1、Ｌ２     長さ
【図１】
0003201082.tif 000003
【図２】
0003201082.tif 000004
【図３】
0003201082.tif 000005
【図４】
0003201082.tif 000006
【図５】
0003201082.tif 000007
【図６】
0003201082.tif 000008
【図７】
0003201082.tif 000009
【図８】
0003201082.tif 000010
【図９】
0003201082.tif 000011